(57)【特許請求の範囲】
【請求項１】
下記一般式（１）で表されるアミド化合物と、下記一般式（２）で表されるアルコールとを含有してなる洗浄剤組成物。
【化１】
0005513994.tif 000006
（式中、Ｒ1は炭素数１〜６のアルキル基又は炭素数３〜６のシクロアルキル基を表し、Ｒ2及びＲ3は、それぞれ独立に、炭素数１〜３のアルキル基又は炭素数３〜６のシクロアルキル基、あるいはこれらの基の一部にエーテル結合を有してなる基を表し、Ｒ4は水素原子又はメチル基を表し、ｎは０〜３の整数であり、ｍは０又は１である。）
Ｒ5−ＯＨ ・・・ （２）
（式中、Ｒ5は炭素数１〜４のアルキル基を表す。）
【請求項２】
前記一般式（１）で表されるアミド化合物及び前記アルコールの質量比（アミド化合物／アルコール）の範囲が、１／９９〜９９／１である請求項１に記載の洗浄剤組成物。
【請求項３】
自動車のブレーキ装置洗浄用である請求項１又は２に記載の洗浄剤組成物。
【請求項４】
前記一般式（１）で表されるアミド化合物及び前記アルコールの質量比（アミド化合物／アルコール）の範囲が、１／９９〜６０／４０であって、家電製品及びＯＡ機器の汚れ除去、並びに車両のブレーキパーツの洗浄から選ばれるいずれかにおいて用いられる請求項１又は２に記載の洗浄剤組成物。
【請求項５】
前記一般式（１）で表されるアミド化合物及び前記アルコールの質量比（アミド化合物／アルコール）の範囲が、１／９９〜９０／１０である金属及びプラスチック部品の脱脂洗浄に用いられる請求項１又は２に記載の洗浄剤組成物。
【請求項６】
請求項１〜５のいずれかに記載の洗浄剤組成物と噴射ガスとを含有するエアゾール組成物。
【発明の詳細な説明】
【技術分野】
【０００１】
本発明は洗浄剤組成物及びエアゾール組成物に関するものであり、詳細には、家電やＯＡ機器等の洗浄、各種車両のブレーキ装置等の洗浄、各種製品製造時の脱脂洗浄等に用いられる洗浄剤組成物及びそれを用いたエアゾール組成物に関する。
【背景技術】
【０００２】
摩擦ブレーキ装置、特に自動車の摩擦ブレーキ装置は、通常、ブレーキライニングを施したブレーキシューをブレーキディスクやブレーキドラム等の回転体に制動子として作用させる構造となっている。このブレーキライニングには、通常アスベストが使用されており、ブレーキを使用するにしたがい、このアスベストが粉塵となって、ブレーキディスク等に付着し、やがてブレーキの制動に悪影響を及ぼすようになる。
【０００３】
上記ブレーキに付着した粉塵（主としてブレーキライニングに使用されていたアスベストに由来するものであり、これをブレーキダストということがある。）やブレーキフルードやグリース等に由来する汚れは、ブレーキ制動に障害を与えるため、自動車整備においてこれらを洗去する作業を行う。この洗去作業においては、通常、作業者がこの粉塵を吸気しないように液体洗浄剤（一般に「ブレーキクリーナー」と呼ばれる）が用いられる。この液体洗浄剤としては、従来、火気に対する安全性の点でフロン１１３が好ましく用いられ、また洗浄性の点で１，１，１−トリクロロエタンが好ましく用いられてきた。しかしながら、近年これらの化合物は地球環境破壊の原因物質や疑発癌性物質と考えられており、代替品の開発が求められていた。
【０００４】
上記問題に対して、例えば特許文献１には、炭素数及び沸点で規定された特定の脂肪族炭化水素とエチルシクロヘキサンからなるブレーキ装置の洗浄剤が開示されている。
特許文献２には、特定の脂肪族炭化水素、脂肪族二価アルコールモノ低級アルキルエーテル及び／又は脂肪族二価アルコールモノ低級アルキルエーテルアセテート、並びに炭素数１〜４の脂肪族一価アルコールからなるブレーキ装置の洗浄剤が開示されている。
特許文献３には、特定の飽和炭化水素、炭素数１〜３の脂肪族一価アルコールからなるブレーキ装置用洗浄剤組成物が開示されている。
特許文献４には、特定の飽和炭化水素、特定の不飽和炭化水素及び特定の脂肪族一価アルコール等を含有するブレーキクリーナー組成物が開示されている。
特許文献５には、特定の引火点を有する脂肪族飽和炭化水素と噴射ガスとを主要成分とする自動車ブレーキ装置洗浄用のエアゾール剤が開示されている。
特許文献６には、特定の脂肪族二価アルコールモノ低級エーテル及び／又はその誘導体と特定の脂肪族飽和炭化水素からなる洗浄液をブレーキ装置に噴霧することを特徴とする自動車ブレーキ装置の洗浄方法が記載されている。
特許文献７には、特定の脂肪族二価アルコール低級エーテル及び／又はその誘導体と、噴射ガスとを主要成分とする自動車ブレーキ装置洗浄用のエアゾール剤が開示されている。
【先行技術文献】
【特許文献】
【０００５】
【特許文献１】特開平４−１３６０９９号公報
【特許文献２】特開平３−１５３７９９号公報
【特許文献３】特開平５−２５４９９号公報
【特許文献４】特開平７−１５０１９８号公報
【特許文献５】特開平２−３０２５００号公報
【特許文献６】特開平３−１３１６９９号公報
【特許文献７】特開平３−５２９８７号公報
【発明の概要】
【発明が解決しようとする課題】
【０００６】
上記のようにこれまでに種々の洗浄剤やエアゾール剤が報告されている。しかしながら、ブレーキフルードは極性が高い物質であり、特許文献１が開示する洗浄剤はブレーキフルードとの相溶性が悪く、十分な洗浄性を有するものではなかった。また、特許文献２〜４が開示する洗浄剤や特許文献５〜７が開示するエアゾール剤は低沸点の溶剤を必須成分とし、その配合量が多いものであるため、ブレーキディスクの洗浄後の乾燥時に、空気中の水分によりブレーキローターに結露が発生し、錆を誘発することになる。さらに、特許文献２〜４が開示する洗浄剤や特許文献５〜７が開示するエアゾール剤は、ブレーキダストが付着したホイール内側等を洗浄する場合には、十分な洗浄性は得られなかった。また、最近のホイールは表面が塗膜で覆われているため、この塗膜を侵すことなく洗浄することができる洗浄剤が求められていた。
【０００７】
本発明は、このような状況下になされたもので、洗浄後の乾燥時に結露が発生しにくく、またブレーキダストが付着したホイール内側等を洗浄する場合においても洗浄性に優れ、さらにホイール表面等の塗膜に対する侵食性が低い洗浄剤組成物及びそれを用いたエアゾール組成物の提供を目的とする。
【課題を解決するための手段】
【０００８】
本発明者らは、前記目的を達成するために鋭意研究を重ねた結果、特定構造のアミド化合物とアルコールとを含有する洗浄剤組成物により、上記課題が解決されることを見出した。本発明はかかる知見に基づいて完成したものである。
すなわち、本願発明は、
１．  下記一般式（１）で表されるアミド化合物と、下記一般式（２）で表されるアルコールとを含有してなる洗浄剤組成物、
【０００９】
【化１】
0005513994.tif 000002
【００１０】
（式中、Ｒ1は炭素数１〜６のアルキル基又は炭素数３〜６のシクロアルキル基を表し、Ｒ2及びＲ3は、それぞれ独立に、炭素数１〜３のアルキル基又は炭素数３〜６のシクロアルキル基、あるいはこれらの基の一部にエーテル結合を有してなる基を表し、Ｒ4は水素原子又はメチル基を表し、ｎは０〜３の整数であり、ｍは０又は１である。）
Ｒ5−ＯＨ ・・・ （２）
（式中、Ｒ5は炭素数１〜４のアルキル基を表す。）
２．  前記一般式（１）で表されるアミド化合物及び前記アルコールの質量比（アミド化合物／アルコール）の範囲が、１／９９〜９９／１である上記１に記載の洗浄剤組成物、
３．  自動車のブレーキ装置洗浄用である上記１又は２に記載の洗浄剤組成物、
４．  前記一般式（１）で表されるアミド化合物及び前記アルコールの質量比（アミド化合物／アルコール）の範囲が、１／９９〜６０／４０であって、家電製品及びＯＡ機器の汚れ除去、並びに車両のブレーキパーツの洗浄から選ばれるいずれかにおいて用いられる上記１又は２に記載の洗浄剤組成物、
５．  前記一般式（１）で表されるアミド化合物及び前記アルコールの質量比（アミド化合物／アルコール）の範囲が、１／９９〜９０／１０である金属及びプラスチック部品の脱脂洗浄に用いられる上記１又は２に記載の洗浄剤組成物、及び
６．  前記１〜５のいずれかに記載の洗浄剤組成物と噴射ガスとを含有するエアゾール組成物
を提供するものである。
【発明の効果】
【００１１】
本発明によれば、洗浄後の乾燥時に結露が発生しにくく、またブレーキダストが付着したホイール内側等を洗浄する場合においても洗浄性に優れ、さらにホイール表面等の塗膜に対する侵食性が低い洗浄剤組成物及びそれを用いたエアゾール組成物が提供される。
【発明を実施するための形態】
【００１２】
本発明の洗浄剤組成物は、下記一般式（１）で表されるアミド化合物とアルコールとを含有してなる。
【００１３】
【化２】
0005513994.tif 000003
【００１４】
一般式（１）において、Ｒ1は炭素数１〜６のアルキル基又は炭素数３〜６のシクロアルキル基を表す。炭素数が７以上であると、沸点が高くなり洗浄後の乾燥時間が長くなり、好ましくない。当該観点から、Ｒ1は、炭素数１〜６の直鎖状若しくは分岐状アルキル基が好ましく、炭素数１〜４の直鎖状若しくは分岐状アルキル基がより好ましく、炭素数１〜４の直鎖状アルキル基がより好ましい。
Ｒ2及びＲ3は、それぞれ独立に、炭素数１〜３のアルキル基又は炭素数３〜６のシクロアルキル基、あるいはこれらの基の一部にエーテル結合を有してなる基を表す。当該エーテル結合を有してなる基は炭素数１〜３のアルキル基又は炭素数３〜６のシクロアルキル基の炭素−炭素結合をエーテル結合（炭素−酸素−炭素結合）に置き換えてなる基である。当該エーテル結合を有してなる基において、エーテル結合の数は、例えば、１つの基あたり１〜５個、好ましくは１又は２個である。
Ｒ2及びＲ3で表されるアルキル基の炭素数が４以上である場合やシクロアルキル基の炭素数が７以上である場合は沸点が高くなり洗浄後の乾燥時間が長くなり、好ましくない。当該観点から、Ｒ2及びＲ3は炭素数１〜３の直鎖状若しくは分岐状アルキル基が好ましく、炭素数１〜３の直鎖状アルキル基がより好ましい。Ｒ4は水素原子又はメチル基であり、好ましくは水素原子である。ｎは０〜３の整数であり、ｍは０又は１である。ｎとｍの合計は、好ましくは１〜３の整数であり、より好ましくは２である。
【００１５】
Ｒ1で表される直鎖状アルキル基の具体例としては、メチル基、エチル基、ｎ−プロピル基、ｎ−ブチル基、ｎ−ペンチル基及びｎ−ヘキシル基が挙げられ、分岐状アルキル基の具体例としては、イソプロピル基、ｓｅｃ−ブチル基及びｔｅｒｔ−ブチル基が挙げられ、シクロアルキル基の具体例としては、シクロペンチル基、シクロへキシル基等が挙げられる。
Ｒ2、Ｒ3で表される直鎖状アルキル基の具体例としては、メチル基、エチル基、ｎ−プロピル基が挙げられ、分岐状アルキル基の具体例としては、イソプロピル基が挙げられ、シクロアルキル基の具体例としては、シクロペンチル基、シクロへキシル基等が挙げられ、前記の基の一部にエーテル結合を有してなる基の具体例としては、１−メトキシエチル基、２−メトキシエチル基、エトキシメチル基等が挙げられる。
【００１６】
前記一般式（１）で表されるアミド化合物としては、プロピオンアミド骨格を有するアミド化合物、酢酸アミド骨格を有するアミド化合物、蟻酸アミド骨格を有するアミド化合物が挙げられる。
プロピオンアミド骨格を有するアミド化合物としては、３−アルコキシ−Ｎ，Ｎ−ジメチルプロピオンアミド化合物、３−アルコキシ−Ｎ，Ｎ−ジエチルプロピオンアミド化合物、３−アルコキシ−Ｎ，Ｎ−ジプロピルプロピオンアミド化合物、３−アルコキシ−２−メチル−Ｎ，Ｎ−ジメチルプロピオンアミド化合物、３−アルコキシ−２−メチル−Ｎ，Ｎ−ジエチルプロピオンアミド化合物、３−アルコキシ−２−メチル−Ｎ，Ｎ−ジプロピルプロピオンアミド化合物等が挙げられる。
【００１７】
３−アルコキシ−Ｎ，Ｎ−ジメチルプロピオンアミド化合物としては、例えば、３−メトキシ−Ｎ，Ｎ−ジメチルプロピオンアミド、３−エトキシ−Ｎ，Ｎ−ジメチルプロピオンアミド、３−ｎ−プロポキシ−Ｎ，Ｎ−ジメチルプロピオンアミド、３−イソプロポキシ−Ｎ，Ｎ−ジメチルプロピオンアミド、３−ｎ−ブトキシ−Ｎ，Ｎ−ジメチルプロピオンアミド、３−ｓｅｃ−ブトキシ−Ｎ，Ｎ−ジメチルプロピオンアミド、３−ペンチルオキシ−Ｎ，Ｎ−ジメチルプロピオンアミド、３−シクロペンチルオキシ−Ｎ，Ｎ−ジメチルプロピオンアミド、３−へキシルオキシ−Ｎ，Ｎ−ジメチルプロピオンアミド、３−シクロヘキシルオキシ−Ｎ，Ｎ−ジメチルプロピオンアミド等が挙げられる。
【００１８】
３−アルコキシ−Ｎ，Ｎ−ジエチルプロピオンアミド化合物としては、例えば３−メトキシ−Ｎ，Ｎ−ジエチルプロピオンアミド、３−エトキシ−Ｎ，Ｎ−ジエチルプロピオンアミド、３−ｎ−プロポキシ−Ｎ，Ｎ−ジエチルプロピオンアミド、３−イソプロポキシ−Ｎ，Ｎ−ジエチルプロピオンアミド、３−ｎ−ブトキシ−Ｎ，Ｎ−ジエチルプロピオンアミド、３−ｓｅｃ−ブトキシ−Ｎ，Ｎ−ジエチルプロピオンアミド、３−ペンチルオキシ−Ｎ，Ｎ−ジエチルプロピオンアミド、３−シクロペンチルオキシ−Ｎ，Ｎ−ジエチルプロピオンアミド、３−へキシルオキシ−Ｎ，Ｎ−ジエチルプロピオンアミド、３−シクロヘキシルオキシ−Ｎ，Ｎ−ジエチルプロピオンアミド等が挙げられる。
【００１９】
３−アルコキシ−Ｎ，Ｎ−ジプロピルプロピオンアミド化合物としては、例えば３−メトキシ−Ｎ，Ｎ−ジプロピルプロピオンアミド、３−エトキシ−Ｎ，Ｎ−ジプロピルプロピオンアミド、３−ｎ−プロポキシ−Ｎ，Ｎ−ジプロピルプロピオンアミド、３−イソプロポキシ−Ｎ，Ｎ−ジプロピルプロピオンアミド、３−ｎ−ブトキシ−Ｎ，Ｎ−ジプロピルプロピオンアミド、３−ｓｅｃ−ブトキシ−Ｎ，Ｎ−ジプロピルプロピオンアミド、３−ペンチルオキシ−Ｎ，Ｎ−ジプロピルプロピオンアミド、３−シクロペンチルオキシ−Ｎ，Ｎ−ジプロピルプロピオンアミド、３−へキシルオキシ−Ｎ，Ｎ−ジプロピルプロピオンアミド、３−シクロヘキシルオキシ−Ｎ，Ｎ−ジプロピルプロピオンアミド等が挙げられる。
【００２０】
３−アルコキシ−２−メチル−Ｎ，Ｎ−ジメチルプロピオンアミド化合物としては、例えば３−メトキシ−２−メチル−Ｎ，Ｎ−ジメチルプロピオンアミド、３−エトキシ−２−メチル−Ｎ，Ｎ−ジメチルプロピオンアミド、３−ｎ−プロポキシ−２−メチル−Ｎ，Ｎ−ジメチルプロピオンアミド、３−イソプロポキシ−２−メチル−Ｎ，Ｎ−ジメチルプロピオンアミド、３−ｎ−ブトキシ−２−メチル−Ｎ，Ｎ−ジメチルプロピオンアミド、３−ｓｅｃ−ブトキシ−２−メチル−Ｎ，Ｎ−ジメチルプロピオンアミド、３−ペンチルオキシ−２−メチル−Ｎ，Ｎ−ジメチルプロピオンアミド、３−シクロペンチルオキシ−２−メチル−Ｎ，Ｎ−ジメチルプロピオンアミド、３−へキシルオキシ−２−メチル−Ｎ，Ｎ−ジメチルプロピオンアミド、３−シクロヘキシルオキシ−２−メチル−Ｎ，Ｎ−ジメチルプロピオンアミド等が挙げられる。
【００２１】
３−アルコキシ−２−メチル−Ｎ，Ｎ−ジエチルプロピオンアミド化合物としては、３−メトキシ−２−メチル−Ｎ，Ｎ−ジエチルプロピオンアミド、３−エトキシ−２−メチル−Ｎ，Ｎ−ジエチルプロピオンアミド、３−ｎ−プロポキシ−２−メチル−Ｎ，Ｎ−ジエチルプロピオンアミド、３−イソプロポキシ−２−メチル−Ｎ，Ｎ−ジエチルプロピオンアミド、３−ｎ−ブトキシ−２−メチル−Ｎ，Ｎ−ジエチルプロピオンアミド、３−ｓｅｃ−ブトキシ−２−メチル−Ｎ，Ｎ−ジエチルプロピオンアミド、３−ペンチルオキシ−２−メチル−Ｎ，Ｎ−ジエチルプロピオンアミド、３−シクロペンチルオキシ−２−メチル−Ｎ，Ｎ−ジエチルプロピオンアミド、３−へキシルオキシ−２−メチル−Ｎ，Ｎ−ジエチルプロピオンアミド、３−シクロヘキシルオキシ−２−メチル−Ｎ，Ｎ−ジエチルプロピオンアミド等が挙げられる。
【００２２】
３−アルコキシ−２−メチル−Ｎ，Ｎ−ジプロピルプロピオンアミド化合物としては、３−メトキシ−２−メチル−Ｎ，Ｎ−ジプロピルプロピオンアミド、３−エトキシ−２−メチル−Ｎ，Ｎ−ジプロピルプロピオンアミド、３−ｎ−プロポキシ−２−メチル−Ｎ，Ｎ−ジプロピルプロピオンアミド、３−イソプロポキシ−２−メチル−Ｎ，Ｎ−ジプロピルプロピオンアミド、３−ｎ−ブトキシ−２−メチル−Ｎ，Ｎ−ジプロピルプロピオンアミド、３−ｓｅｃ−ブトキシ−２−メチル−Ｎ，Ｎ−ジプロピルプロピオンアミド、３−ペンチルオキシ−２−メチル−Ｎ，Ｎ−ジプロピルプロピオンアミド、３−シクロペンチルオキシ−２−メチル−Ｎ，Ｎ−ジプロピルプロピオンアミド、３−へキシルオキシ−２−メチル−Ｎ，Ｎ−ジプロピルプロピオンアミド、３−シクロヘキシルオキシ−２−メチル−Ｎ，Ｎ−ジプロピルプロピオンアミド等が挙げられる。
【００２３】
酢酸アミド骨格を有するアミド化合物としては、２−アルコキシ−Ｎ，Ｎ−ジメチル酢酸アミド化合物、２−アルコキシ−Ｎ，Ｎ−ジエチル酢酸アミド化合物、２−アルコキシ−Ｎ，Ｎ−ジプロピル酢酸アミド化合物等が挙げられる。
【００２４】
２−アルコキシ−Ｎ，Ｎ−ジメチル酢酸アミド化合物としては、２−メトキシ−Ｎ，Ｎ−ジメチル酢酸アミド、２−エトキシ−Ｎ，Ｎ−ジメチル酢酸アミド、２−ｎ−プロポキシ−Ｎ，Ｎ−ジメチル酢酸アミド、２−イソプロポキシ−Ｎ，Ｎ−ジメチル酢酸アミド、２−ｎ−ブトキシ−Ｎ，Ｎ−ジメチル酢酸アミド、２−ｓｅｃ−ブトキシ−Ｎ，Ｎ−ジメチル酢酸アミド、２−ペンチルオキシ−Ｎ，Ｎ−ジメチル酢酸アミド、２−シクロペンチルオキシ−Ｎ，Ｎ−ジメチル酢酸アミド、２−へキシルオキシ−Ｎ，Ｎ−ジメチル酢酸アミド、２−シクロヘキシルオキシ−Ｎ，Ｎ−ジメチル酢酸アミド等が挙げられる。
【００２５】
２−アルコキシ−Ｎ，Ｎ−ジエチル酢酸アミド化合物としては、２−メトキシ−Ｎ，Ｎ−ジエチル酢酸アミド、２−エトキシ−Ｎ，Ｎ−ジエチル酢酸アミド、２−ｎ−プロポキシ−Ｎ，Ｎ−ジエチル酢酸アミド、２−イソプロポキシ−Ｎ，Ｎ−ジエチル酢酸アミド、２−ｎ−ブトキシ−Ｎ，Ｎ−ジエチル酢酸アミド、２−ｓｅｃ−ブトキシ−Ｎ，Ｎ−ジエチル酢酸アミド、２−ペンチルオキシ−Ｎ，Ｎ−ジエチル酢酸アミド、２−シクロペンチルオキシ−Ｎ，Ｎ−ジエチル酢酸アミド、２−へキシルオキシ−Ｎ，Ｎ−ジエチル酢酸アミド、２−シクロヘキシルオキシ−Ｎ，Ｎ−ジエチル酢酸アミド等が挙げられる。
【００２６】
２−アルコキシ−Ｎ，Ｎ−ジプロピル酢酸アミド化合物としては、２−メトキシ−Ｎ，Ｎ−ジプロピル酢酸アミド、２−エトキシ−Ｎ，Ｎ−ジプロピル酢酸アミド、２−ｎ−プロポキシ−Ｎ，Ｎ−ジプロピル酢酸アミド、２−イソプロポキシ−Ｎ，Ｎ−ジプロピル酢酸アミド、２−ｎ−ブトキシ−Ｎ，Ｎ−ジプロピル酢酸アミド、２−ｓｅｃ−ブトキシ−Ｎ，Ｎ−ジプロピル酢酸アミド、２−ペンチルオキシ−Ｎ，Ｎ−ジプロピル酢酸アミド、２−シクロペンチルオキシ−Ｎ，Ｎ−ジプロピル酢酸アミド、２−へキシルオキシ−Ｎ，Ｎ−ジプロピル酢酸アミド、２−シクロヘキシルオキシ−Ｎ，Ｎ−ジプロピル酢酸アミド等が挙げられる。
【００２７】
蟻酸アミド骨格を有するアミド化合物としては、１−アルコキシ−Ｎ，Ｎ−ジメチル蟻酸アミド化合物、１−アルコキシ−Ｎ，Ｎ−ジエチル蟻酸アミド化合物、１−アルコキシ−Ｎ，Ｎ−ジプロピル蟻酸アミド化合物等が挙げられる。
【００２８】
１−アルコキシ−Ｎ，Ｎ−ジメチル蟻酸アミド化合物としては、１−メトキシ−Ｎ，Ｎ−ジメチル蟻酸アミド、１−エトキシ−Ｎ，Ｎ−ジメチル蟻酸アミド、１−ｎ−プロポキシ−Ｎ，Ｎ−ジメチル蟻酸アミド、１−イソプロポキシ−Ｎ，Ｎ−ジメチル蟻酸アミド、１−ｎ−ブトキシ−Ｎ，Ｎ−ジメチル蟻酸アミド、１−ｓｅｃ−ブトキシ−Ｎ，Ｎ−ジメチル蟻酸アミド、１−ペンチルオキシ−Ｎ，Ｎ−ジメチル蟻酸アミド、１−シクロペンチルオキシ−Ｎ，Ｎ−ジメチル蟻酸アミド、１−へキシルオキシ−Ｎ，Ｎ−ジメチル蟻酸アミド、１−シクロヘキシルオキシ−Ｎ，Ｎ−ジメチル蟻酸アミド等が挙げられる。
【００２９】
１−アルコキシ−Ｎ，Ｎ−ジエチル蟻酸アミド化合物としては、１−メトキシ−Ｎ，Ｎ−ジエチル蟻酸アミド、１−エトキシ−Ｎ，Ｎ−ジエチル蟻酸アミド、１−ｎ−プロポキシ−Ｎ，Ｎ−ジエチル蟻酸アミド、１−イソプロポキシ−Ｎ，Ｎ−ジエチル蟻酸アミド、１−ｎ−ブトキシ−Ｎ，Ｎ−ジエチル蟻酸アミド、１−ｓｅｃ−ブトキシ−Ｎ，Ｎ−ジエチル蟻酸アミド、１−ペンチルオキシ−Ｎ，Ｎ−ジエチル蟻酸アミド、１−シクロペンチルオキシ−Ｎ，Ｎ−ジエチル蟻酸アミド、１−へキシルオキシ−Ｎ，Ｎ−ジエチル蟻酸アミド、１−シクロヘキシルオキシ−Ｎ，Ｎ−ジエチル蟻酸アミド等が挙げられる。
【００３０】
１−アルコキシ−Ｎ，Ｎ−ジプロピル蟻酸アミド化合物としては、１−メトキシ−Ｎ，Ｎ−ジプロピル蟻酸アミド、１−エトキシ−Ｎ，Ｎ−ジプロピル蟻酸アミド、１−ｎ−プロポキシ−Ｎ，Ｎ−ジプロピル蟻酸アミド、１−イソプロポキシ−Ｎ，Ｎ−ジプロピル蟻酸アミド、１−ｎ−ブトキシ−Ｎ，Ｎ−ジプロピル蟻酸アミド、１−ｓｅｃ−ブトキシ−Ｎ，Ｎ−ジプロピル蟻酸アミド、１−ペンチルオキシ−Ｎ，Ｎ−ジプロピル蟻酸アミド、１−シクロペンチルオキシ−Ｎ，Ｎ−ジプロピル蟻酸アミド、１−へキシルオキシ−Ｎ，Ｎ−ジプロピル蟻酸アミド、１−シクロヘキシルオキシ−Ｎ，Ｎ−ジプロピル蟻酸アミド等が挙げられる。
【００３１】
これらの中では、製造の容易性の観点からプロピオンアミド骨格を有するアミド化合物が好ましく、３−アルコキシ−Ｎ，Ｎ−ジメチルプロピオンアミド化合物がより好ましく、３−メトキシ−Ｎ，Ｎ−ジメチルプロピオンアミド、３−ｎ−ブトキシ−Ｎ，Ｎ−ジメチルプロピオンアミドがより好ましい。
【００３２】
本発明の洗浄剤組成物において用いられるアルコールとしては、例えば下記一般式（２）で表されるアルコールが挙げられる。
Ｒ5−ＯＨ  ・・・  （２）
一般式（２）において、Ｒ5は炭素数１〜４のアルキル基を表す。当該範囲内であることで、洗浄性及び、洗浄後の乾燥性が良くなり、好ましい。当該観点から、炭素数２〜３のアルキル基が好ましく、炭素数３のアルキル基がより好ましい。
Ｒ5で表される炭素数１〜４のアルキル基としては、炭素数１〜４の直鎖状アルキル基や炭素数１〜４の分岐状アルキル基が挙げられる。
炭素数１〜４の直鎖状アルキル基としては、メチル基、エチル基、ノルマルプロピル基及びノルマルブチル基が挙げられる。炭素数１〜４の分岐状アルキル基としては、イソプロピル基、ｓｅｃ−ブチル基及びｔｅｒｔ−ブチル基が挙げられる。
【００３３】
前記一般式（２）で表されるアルコールの具体例としては、メタノール、エタノール、ノルマルプロパノール、２−プロパノール、ノルマルブタノール、２−ブタノール、イソブタノール、ｔ−ブタノールが挙げられ、これらの中では、洗浄後の乾燥において、被洗浄物へ空気中の水分が露結しにくいことから、イソプロパノールが好ましい。
【００３４】
本発明の洗浄剤組成物においては、前記アミド化合物と前記アルコールの質量比（アミド化合物／アルコール）の範囲は、１／９９〜９９／１が好ましく、１／９９〜９０／１０がより好ましい。前記質量比がこの範囲にあることで、洗浄後の乾燥時に結露が発生しにくく、優れた洗浄性を有し、塗膜に対する侵食性が低い洗浄剤組成物となる。
また、洗浄対象物によって前記質量比を調整することが好ましく、例えば、家電製品及びＯＡ機器の汚れ除去、並びに自動車、オートバイ等の各種車両のブレーキパーツ等のように、樹脂部品が装着されたものや塗装が施されたものを洗浄する場合は、前記質量比の範囲は、１／９９〜６０／４０が好ましく、１／９９〜２０／８０がより好ましい。前記質量比がこの範囲にあることで、塗膜や樹脂部品に対する侵食性が特に低い洗浄剤組成物が得られる。
また、金属部品等のように、樹脂部品が装着されていないものや塗装が施されていないものを洗浄する場合は、前記質量比の範囲は１／９９〜９９／１が好ましく、１／９９〜９０／１０がより好ましい。前記質量比がこの範囲にあることで、上記の種々の性能のバランスが良好な洗浄剤組成物が得られる。また、金属やプラスチック部品の脱脂洗浄に用いる場合は、質量比の範囲は１／９９〜９０／１０が好ましい。
【００３５】
本発明の洗浄剤組成物においては、必要に応じて添加剤等を配合してもよく、例えば、界面活性剤、金属イオン封鎖剤、酸化防止剤等が挙げられる。
界面活性剤としては、硫酸アルキル塩、硫酸アルキルポリオキシエチレン塩、アルキルベンゼンスルホン酸塩、α−オレフィンスルホン酸塩、モノアルキルリン酸塩等の陰イオン界面活性剤；アルキルトリメチルアンモニウム塩、ジアルキルジメチルアンモニウム塩、アルキルアンモニウム塩、アルキルベンジルジメチルアンモニウム塩等の陽イオン界面活性剤；アミノ酸型両性界面活性剤、アルキルカルボキシベタイン、アルキルスルホベタイン等のベタイン型両性界面活性剤、イミダゾリン型両性界面活性剤等の両性界面活性剤；ポリオキシエチレンアルキルエーテル、ポリオキシエチレンアルキルフェニルエーテル、脂肪酸ジエタノールアミド、アルキルジメチルアミンオキシド等の非イオン界面活性剤が挙げられる。上記界面活性剤は一種を単独で用いてもよく、又は二種以上を組み合わせて用いてもよい。
界面活性剤の含有量は、洗浄剤組成物全量に対して、０．０５〜１０質量％が好ましく、０．１〜５質量％がより好ましい。
【００３６】
金属イオン封鎖剤としては、エチレンジアミンテトラ酢酸、ジエチレントリアミンペンタ酢酸、Ｎ−ヒドロキシエチルエチレンジアミントリ酢酸、エチレンジアミンテトラプロピオン酸、トリエチレンテトラミンヘキサ酢酸、エチレングリコールジエーテルジアミンテトラ酢酸、シクロヘキサン−１，２−ジアミンテトラ酢酸等のアミノカルボン酸系物質；グリコール酸、ジグリコール酸、乳酸、酒石酸、カルボキシメチル酒石酸、クエン酸、リンゴ酸、グルコン酸等のオキシカルボン酸；酢酸、モノクロル酢酸、シュウ酸、コハク酸、カルボキシメチルコハク酸、カルボキシメチルオキシコハク酸等のカルボン酸系物質；ピロリン酸、トリポリリン酸、ヘキサメタリン酸、ゼオライト等が挙げられる。上記金属イオン封鎖剤は一種を単独で用いてもよく、又は二種以上を組み合わせて用いてもよい。
金属イオン封鎖剤の含有量は、洗浄剤組成物全量に対して、０．１〜２０質量％が好ましく、１〜１０質量％がより好ましい。
【００３７】
酸化防止剤としては、２，６−ジ−ｔｅｒｔ−ブチル−４−メチルフェノール、２，５−ジ−ｔｅｒｔ−ブチルヒドロキノン、２，６−ジ−ｔｅｒｔ−ブチル−α−ジメチルアミノ−ｐ−クレゾール等のモノフェノール系化合物；４，４’−ビス（２，６−ジ−ｔｅｒｔ−ブチルフェノール）、４，４’−メチレン−ビス（２，６−ジ−ｔｅｒｔ−ブチルフェノール）、２，２’−メチレン−ビス（４−メチル−６−ｔｅｒｔ−ブチルフェノール）、４，４’−ブチリデン−ビス（３−メチル−６−ｔｅｒｔ−ブチルフェノール）等のビスフェノール化合物；４，４’−チオビス（３−メチル−６−ｔｅｒｔ−ブチルフェノール）、２，２’−チオビス（６−ｔｅｒｔ−ブチル−ｏ−クレゾール）、２，２’−チオビス（４−メチル−６−ｔｅｒｔ−ブチルフェノール）等のチオビスフェノール系化合物；テトラキス［メチレン−３−（３，５−ジ−ｔｅｒｔ−ブチル−４−ヒドロキシフェニル）プロピオネート］メタン、トリス（２−メチル−４−ヒドロキシ−５−ｔｅｒｔ−ブチル−フェノール）ブタン等のトリス又はテトラキスフェノール系化合物；トリフェニルフォスファイト、トリスノニルフェニルフォスファイト、トリス（モノ及びジ−ノニルフェニル）ホスファイト等のホスファイト系酸化防止剤；ジラウリルチオジプロピオネート、ジステアリルチオジプロピオネート等の硫黄系酸化防止剤が挙げられる。上記酸化防止剤は一種を単独で用いてもよく、又は二種以上を組み合わせて用いてもよい。
酸化防止剤の含有量は、洗浄剤組成物全量に対して、０．０１〜１．０質量％が好ましく、０．０１〜０．５質量％がより好ましい。
【００３８】
本発明の洗浄剤組成物を使用する場合は、そのまま洗浄対象物に塗布してもよく、またエアゾール組成物を調製し、これを噴霧してもよい。このエアゾール組成物は、本発明の洗浄剤組成物及び噴射ガスを含有する組成物である。噴射ガスとしては、液化石油ガス、ジメチルエーテル、炭酸ガス、窒素ガス等が挙げられる。これらは一種単独で用いてもよく、二種以上を組み合わせて用いてもよい。洗浄剤組成物と噴射ガスの混合充填比率は、例えば、洗浄剤組成物／噴射ガスが質量比で７０／３０〜９５／５の範囲が好ましく、８５／１５〜９５／５の範囲がより好ましい。
【００３９】
本発明の洗浄剤組成物は優れた洗浄性を有するにも関わらず、塗膜、ゴム及び樹脂部品に対する侵食性が小さい。このため、本発明の洗浄剤組成物を使用することで、下地等を傷めることなく、指紋や油脂等の汚れやマジックインキ等で書かれた落書きを洗浄することができ、洗濯機、冷蔵庫、電子レンジ、テレビジョン等の家電製品やパソコン等のＯＡ機器等の洗浄、さらにはプラスチック部品製造時の製品の脱脂洗浄において好ましく用いられる。また、本発明の洗浄剤組成物は、洗浄後の乾燥時に結露が発生しにくいため、自動車、オートバイ等の車両のディスクブレーキ装置やドラムブレーキ装置等のブレーキ装置の洗浄、金属加工時の製品の脱脂洗浄において好ましく用いられる。
【実施例】
【００４０】
次に、実施例及び比較例により本発明をさらに詳細に説明するが、本発明はこれら実施例に限定されるものではない。
【００４１】
１．洗浄剤組成物の調製
第１表に各実施例、比較例に用いた洗浄剤組成物Ａ〜Ｏの組成を示す。
また、比較例３においては洗浄剤組成物Ｏとして市販のブレーキクリーナー（消防法第一石油類であるイソヘキサンを主成分とし、アミド化合物を含有しないエアゾール式ブレーキクリーナー）を使用した。なお比較例３において、洗浄性、侵食性試験には、本エアゾール式ブレーキクリーナーを噴射捕集した液を使用し評価した。
【００４２】
【表１】
0005513994.tif 000004
【００４３】
２．エアゾール組成物の調製
第１表に示した各洗浄剤組成物と噴射ガスであるジメチルエーテルとを質量比が５０／５０〜６０／４０となるように充填し、エアゾール組成物を調製した。
ただし、比較例３で使用した市販のエアゾール式ブレーキクリーナーについてはそのまま使用した。
【００４４】
〔評価方法及び評価基準〕
（１）結露性
結露性の試験は湿度：７０％、室温：２５℃に調整した部屋で次の手順で行った。
エアゾール組成物を、垂直に立てた鉄製の板（２００ｍｍ×２００ｍｍ×１ｍｍ）に２０ｃｍ離れた所から１０秒間吹きつけた後、表面を観察し、結露状態を目視で観察した。
評価基準は次の通りであり、○、△を合格とし、×は不合格とした。
○：結露が見られなかった
△：表面が薄っすらと曇った
×：結露し表面に水滴が見られた。
【００４５】
（２）洗浄性
（ｉ）ブレーキダストの洗浄性
実際に走行を行った車両よりホイールを取り外し、エアゾール組成物を約２０ｃｍ離れた所から２０秒間吹きつけ、洗浄性を目視で確認した。
この時、吹き付けた洗浄剤組成物がホイールから流れ落ちるようにホイールを傾けて設置し試験を行った。
評価基準は次の通りであり、○を合格とし、×は不合格とした。
○：洗浄液が吹きつけられた部分のブレーキダストが全て流れ落ちた。
×：殆どのブレーキダストは流れ落ちたが、ホイールの極表面の黒ずみは残った。
【００４６】
（ｉｉ）塗装製品の洗浄性
家庭で約１０年間使用したデスクトップパソコンの筐体の塗装された金属部分に付着した汚れを下記方法で洗浄し、洗浄性を確認した。
キムワイプ  Ｓ−２００（日本製紙クレシア製  ６２０１１）１枚を５回折りたたみ、洗浄剤組成物を１．０ｇ染み込ませ、試験片に軽く１５回擦り、表面の状態を観察した。
評価基準は次の通りであり、○、△を合格とし、×は不合格とした。
○：表面の黒ずんだ汚れが全部綺麗に取れた。
△：表面の黒ずんだ汚れの一部が残った。
×：表面の黒ずんだ汚れは除去されなかった。
【００４７】
（ｉｉｉ）ブレーキフルードの洗浄性
ブレーキフルードの洗浄性評価として、洗浄剤組成物とブレーキフルードの相溶性を調べた。
ブレーキフルードとして、トヨタ自動車株式会社製  トヨタ純正ブレーキフルード（自動車用非鉱油系ブレーキ液）を使用し、当該ブレーキフルード３ｍＬを各洗浄剤組成物５０ｍＬに加え、振り混ぜた後、１０分間静置し相溶性を目視で観察した。
評価基準は次の通りであり、○を合格とし、×は不合格とした。
○：透明に溶解している場合を相溶性があり、洗浄性が良いと評価した。
×：透明とならず、曇りが生じた場合を非相溶性があり、洗浄性が悪いと評価した。
【００４８】
（３）各種材料に対する侵食性
（ｉ）ブレーキダストブーツ、樹脂に対する侵食性
＜試験片＞
試験に使用した試験片を以下に示す。
ブレーキダストブーツ：市販自動車のブレーキキャリパーのダストブーツ（ゴム製）、スズキ自動車株式会社製スズキ純正部品（品番：５５８３０−７０Ｂ００）を使用した。
ポリエチレン：２ｍｍ厚の高密度ポリエチレンのプレートを２０ｍｍ×２０ｍｍにカットし使用した。
ポリプロピレン：２ｍｍ厚のポリプロピレンのプレートを２０ｍｍ×２０ｍｍにカットし使用した。
ポリカーボネート：２ｍｍ厚のポリカーボネートのプレートを２０ｍｍ×２０ｍｍにカットし使用した。
＜試験方法＞
各試験片を室温で各洗浄剤組成物に３０分間浸漬した後、取り出し、ウエスで洗浄剤組成物を良く拭き取り、試験前後の質量を測定した。評価基準は次の通りであり、◎、○、△を合格とし、×は不合格とした。
◎：質量変化率の絶対値が０．５質量％以下の場合
○：質量変化率の絶対値が０．５質量％を超え１．０質量％以下の場合
△：質量変化率の絶対値が１．０質量％を超え１０質量％以下の場合
×：質量変化率が絶対値が１０質量％を超える場合
（ｉｉ）塗装面に対する侵食性
上記の「（２）洗浄性−（ｉｉ）塗装製品の洗浄性」における試験後の試験片の表面を指で触り、状態を確認した。評価基準は次の通りであり、◎、○、△を合格とし、×は不合格とした。
◎：洗浄性試験直後からベトツキは無い。
○：洗浄性試験直後では少しベトツキはあるが、２分後にはベツツキは無い。
△：洗浄性試験直後ではベトツキはあるが、５分後にはベトツキは無い。
×：洗浄性試験後、５分経ってもベトツキがある。
【００４９】
【表２】
0005513994.tif 000005
【産業上の利用可能性】
【００５０】
本発明の洗浄剤組成物は優れた洗浄性を有するにも関わらず、塗膜、ゴム及び樹脂部品に対する侵食性が小さい。このため、家電製品やＯＡ機器等の洗浄、さらにはプラスチック部品製造時の製品の脱脂洗浄において好ましく利用される。また、本発明の洗浄剤組成物は、洗浄後の乾燥時に結露が発生しにくいため、ブレーキ装置の洗浄、金属加工時の製品の脱脂洗浄において好ましく利用される。